(57)【要約】【課題】ポスター印刷機能もしくは拡大連写機能と組み合わされた他の編集機能の処理について好適な処理位置を決定する。【解決手段】画像を複数に分割した分割画像をそれぞれ異なる用紙に印刷する第１の印刷機能を設定する第１機能設定部と、第１の印刷機能と異なる編集機能もしくは後処理機能である第２の印刷機能を設定する第２機能設定部と、第１の印刷機能と第２の印刷機能との組合せが設定された場合に第１の印刷機能に応じて出力される各用紙を組み合わせて一つの画像を構成した状態を基準に第２の印刷機能の編集もしくは後処理を行うべき用紙上の位置を決定する印刷機能処理部とを備えることを特徴とする画像形成装置を用いる。【選択図】図１
2006248086.tif 000002
【特許請求の範囲】
【請求項１】
画像を複数に分割した分割画像をそれぞれ異なる用紙に印刷する第１の印刷機能を設定する第１機能設定部と、
第１の印刷機能と異なる編集機能もしくは後処理機能である第２の印刷機能を設定する第２機能設定部と、
第１の印刷機能と第２の印刷機能との組合せが設定された場合に第１の印刷機能に応じて出力される各用紙を組み合わせて一つの画像を構成した状態を基準に第２の印刷機能の編集もしくは後処理を行うべき用紙上の位置を決定する印刷機能処理部とを備えることを特徴とする画像形成装置。
【請求項２】
第１機能設定部は、各用紙を貼り合せるためののりしろを付けた画像を出力する印刷機能を設定し、
印刷機能処理部が、のりしろの位置を各用紙について決定し、のりしろを考慮して第２の印刷機能の処理位置を決定する請求項１記載の画像形成装置。
【請求項３】
第１機能設定部が、印刷画像を外部から受信し、受信した印刷画像を複数に分割した分割画像データをそれぞれ異なる用紙に出力するポスター印刷機能を第１の印刷機能として設定する請求項１記載の画像形成装置。
【請求項４】
画像読取部をさらに備え、
第１機能設定部が、画像読取部で読み取った原稿画像を複数に分割した分割画像をそれぞれ異なる用紙に出力する拡大連写機能を第１の印刷機能として設定する請求項１記載の画像形成装置。
【請求項５】
第２機能設定部が、用紙に綴じ孔をあけるパンチ機能を第２の印刷機能として設定する請求項１記載の画像形成装置。
【請求項６】
第２機能設定部が、用紙に綴じ孔をあけるパンチ機能と前記パンチ機能に連動して画像領域外にパンチ孔をあけるように画像をシフトするシフト機能とを第２の印刷機能として設定する請求項１記載の画像形成装置。
【発明の詳細な説明】
【技術分野】
【０００１】
この発明は、編集もしくは後処理機能を備えた画像形成装置に関する。
【背景技術】
【０００２】
画像形成装置が印刷可能な用紙の大きさを超えた画像を印刷する場合に、印刷可能な用紙の大きさに画像を分割して印刷し、印刷後それらをつなぎ合わせることによって一つのおおきなポスターやパネルを作成する機能が知られている。画像形成装置がプリンタであり、外部のホストから受けて分割し、印字する機能はポスター印刷機能と呼ばれている。あるいは、画像形成装置が複写機であり、原稿画像を分割して印刷する機能は拡大連写機能と呼ばれている。
【０００３】
これらの機能において、印刷後のつなぎ合わせを容易にするためにのりしろを設けて印刷するようにしたものが知られている（例えば、特許文献１参照）。さらに、ポスター印刷を行う際の画像データの記憶に必要な記憶容量を小さくする手法が知られている（例えば、特許文献２参照）。
【特許文献１】特開平４−３４０６５３号公報
【特許文献２】特開２００２−３３５３９３号公報
【発明の開示】
【発明が解決しようとする課題】
【０００４】
しかし、ポスター印刷機能もしくは拡大連写機能と他の編集機能を組み合わせた場合の処理についての開示はされていない。
【０００５】
編集処理や用紙への後処理は、用紙を基準として処理の位置を決定することが多い。しかし、ポスター印刷機能もしくは拡大連写機能においては、複数に分割された画像が印刷された複数の用紙をつなぎ合わせて一つの画像が構成される。この場合、ポスター印刷機能もしくは拡大連写機能と組み合わされた他の編集機能の処理の位置を、各用紙を基準に決定したのでは好ましい結果が得られないことがある。
【０００６】
例えば、最大用紙サイズがＡ３サイズのプリンタでポスター印刷機能を用い、Ａ２サイズの図面を印字すると、２枚のＡ３用紙に図面が分割されて出力される。それらを貼り合わせてＡ２サイズの図面が得られる。得られた図面を折りたたんでＡ４サイズのファイルに綴じるとする。ファイル綴じは一箇所であり、パンチ孔は２つでよい。しかし、印刷時にポスター印刷機能と組み合わせてパンチ機能を選択した場合、各用紙を基準にパンチ処理が施すとすれば、２枚の用紙にそれぞれパンチ孔があけられてしまい、しかもそのパンチ孔は貼りあわせ後の図面を綴じるための場所と一致しないといった事態が生じてしまう。一度用紙にあけられたパンチ孔は修復できないので、印刷出力が無駄になってしまうこともある。
【０００７】
ポスター印刷機能もしくは拡大連写機能と組み合わされた他の編集機能の処理の処理について、好適な処理位置を決定できる手法が望まれている。
【課題を解決するための手段】
【０００８】
この発明は、画像を複数に分割した分割画像をそれぞれ異なる用紙に印刷する第１の印刷機能を設定する第１機能設定部と、第１の印刷機能と異なる編集機能もしくは後処理機能である第２の印刷機能を設定する第２機能設定部と、第１の印刷機能と第２の印刷機能との組合せが設定された場合に第１の印刷機能に応じて出力される各用紙を組み合わせて一つの画像を構成した状態を基準に第２の印刷機能の編集もしくは後処理を行うべき用紙上の位置を決定する印刷機能処理部とを備えることを特徴とする画像形成装置を提供する。
【発明の効果】
【０００９】
この発明の画像形成装置は、印刷機能処理部が、第１の印刷機能と第２の印刷機能との組合せが設定された場合に第１の印刷機能に応じて出力される各用紙を組み合わせて一つの画像を構成した状態を基準に第２の印刷機能の編集もしくは後処理を行うべき用紙上の位置を決定するので、第１の印刷機能と組み合わされた第２の印刷機能に対して好適な処理位置が決定される。
【発明を実施するための最良の形態】
【００１０】
この発明の画像形成装置は、画像を複数に分割した分割画像をそれぞれ異なる用紙に印刷する第１の印刷機能を設定する第１機能設定部と、第１の印刷機能と異なる編集機能もしくは後処理機能である第２の印刷機能を設定する第２機能設定部と、第１の印刷機能と第２の印刷機能との組合せが設定された場合に第１の印刷機能に応じて出力される各用紙を組み合わせて一つの画像を構成した状態を基準に第２の印刷機能の編集もしくは後処理を行うべき用紙上の位置を決定する印刷機能処理部とを備えることを特徴とする。
【００１１】
第１の印刷機能は、分割された画像が印刷された各用紙を組み合わせて一つの画像を構成することのできる機能である。第２の印刷機能は、第１の印刷機能と異なる編集機能もしくは後処理機能であって第１の印刷機能と組み合わが可能な機能であればよい。編集機能の例としては、用紙上に印刷する画像の位置をシフトするシフト機能や画像の周縁部を消去する枠消し機能などが挙げられる。後処理機能の例としては、用紙に綴じ孔をあけるパンチ機能や所定位置で用紙を折る紙折り機能などが挙げられる。
【００１２】
第１機能設定部は、各用紙を貼り合せるためののりしろを付けた画像を出力する印刷機能を設定し、前記印刷機能処理部が、のりしろの位置を各用紙について決定し、のりしろを考慮して第２の印刷機能の処理位置を決定するものであってもよい。このようにすれば、のりしろを考慮して第２の印刷機能の処理位置が決定されるので、各用紙を貼りあわせた状態で最適な位置に第２の印刷機能の処理位置が決定される。
【００１３】
また、第１機能設定部が、印刷画像を外部から受信し、受信した印刷画像を複数に分割した分割画像データをそれぞれ異なる用紙に出力するポスター印刷機能を第１の印刷機能として設定するものであってもよい。このようにすれば、ポスター印刷機能を用いて印刷された各用紙を貼りあわせた状態で最適な位置に第２の印刷機能の処理位置が決定される。
【００１４】
あるいは、前記画像形成装置が画像読取部をさらに備え、第１機能設定部が、画像読取部で読み取った原稿画像を複数に分割した分割画像をそれぞれ異なる用紙に出力する拡大連写機能を第１の印刷機能として設定するものであってもよい。このようにすれば、拡大連写機能を用いて印刷された各用紙を貼りあわせた状態で最適な位置に第２の印刷機能の処理位置が決定される。
【００１５】
さらに、第２機能設定部が、用紙に綴じ孔をあけるパンチ機能を第２の印刷機能として設定するものであってもよい。このようにすれば、第１の印刷機能に応じて出力される各用紙を組み合わせて一つの画像を構成した状態を基準にパンチ孔をあける用紙と位置とを決定するので、好適な位置にパンチ孔をあけることができる。
【００１６】
あるいは、第２機能設定部が、用紙に綴じ孔をあけるパンチ機能と前記パンチ機能に連動して画像領域外にパンチ孔をあけるように画像をシフトするシフト機能とを第２の印刷機能として設定するものであってもよい。このようにすれば、第１の印刷機能に応じて出力される各用紙を組み合わせて一つの画像を構成した状態を基準にパンチ孔をあける位置と画像のシフト位置とを決定するので、好適な位置に画像をシフトすると共に画像領域外にパンチ孔をあけることができる。
以下、図面に示す実施の形態に基づいてこの発明を詳述する。
【００１７】
図２は、この発明に係る画像形成装置の機械的な概略構成の一例を示す説明図である。  図２に示すように、この実施の形態の画像形成装置は、原稿を画像読取位置へ搬送する原稿搬送装置１００、原稿を読み取る原稿読取部としてのスキャナ部１１０、読み取った原稿の画像もしくはネットワーク２０を介して受信した画像データを印刷する画像形成部であるプリントエンジン２１０、画像を印刷するための用紙を格納し、プリントエンジン２１０へ給送する給紙部２１１から構成される。
【００１８】
前記スキャナ部１１０は、読取り手段であるＣＣＤ（Ｃｈａｒｇｅ  Ｃｏｕｐｌｅｄ  Ｄｅｖｉｃｅ）センサ１１６を備えて構成され、原稿台（プラテンガラス）１１１上に載置され、平面支持された原稿の画像を、光源ユニット１１３、ミラーユニット１１４および結像レンズ１１５によって、固定位置に設けられた前記ＣＣＤセンサ１１６に結像し、読取りを行う。前記光源ユニット１１３は、原稿を照射する光源と、原稿からの反射光をミラーユニット１１４へ導くミラーを有する。前記ミラーユニット１１４は、光源ユニット１１３からの光の光路を１８０°変更する一対のミラーを備えて構成される。光源ユニット１１３の速度をＶとすると、ミラーユニット１１４はＶ／２の速度で、原稿面に平行な方向（副走査方向）に変位してゆくことによって、原稿画像を読取ることができる。
【００１９】
原稿搬送装置１００は、原稿給紙トレイ１０８上に積層状態で載置された原稿を１枚ずつ取り込んでゆき、原稿台１１１上に原稿を搬送する。原稿台１２上に停止した原稿を読取るために、光源ユニット１１３は、図示しない原稿サイズ検出器等で検出されたサイズに応じて原稿の一端の側から他端の側へ所定距離だけ移動し、原稿の表面（下側）の画像を読取る。読み取り後の原稿（シートは）原稿搬送装置１００の原稿排紙トレイ１０９へ排出される。この動作を繰り返し行うことにより原稿トレイに載置した原稿を全て読取り排出トレイ１０９に積載し読取処理動作を完了させる。あるいは、光源ユニット１１３を原稿台１１１の所定位置で停止させ、原稿搬送装置１００で原稿を搬送しながら読み取りを行うようにしてもよい。
【００２０】
なお、原稿搬送装置１００は、画像読取装置の奥側（紙面奥側）にて、スキャナ部１１０との間に設けられたヒンジ（図示せず）を回動支点として、上方に回動するようになっている。これにより、該画像読取装置では、紙面手前側から、原稿台１１１の上面を開放できるようになっており、搬送できないブック物の原稿等を原稿台１１１上にセットできるようになっている。
【００２１】
次に、プリントエンジン２１０の構造について説明する。前述のスキャナ部１１０で読取られた原稿画像は、画像データとして画像処理部１１７へと送られ、画像処理部１１７は、画像データに対して所定の画像処理が施される。その後、画像処理部１１７の図示しない画像メモリに一旦記憶し、必要に応じて編集のための処理を行う。
【００２２】
また、この画像処理部１１７は、ネットワーク２０を介して外部のホスト５０もしくは５１から印刷データを受けて画像データに展開し、一時的に画像メモリに格納する。
そして、画像処理部１１７は、出力指示に応じて画像メモリ内の画像データを読出してプリントエンジン２１０の光書込み装置であるレーザ書込みユニット２２７に転送する。  レーザ書込みユニット２２７は、半導体レーザから出射されたレーザ光を感光体ドラム２２２上の回転軸に平行な方向に偏向して走査する。なお、本実施例では、書込み装置としてレーザ書込みユニットを用いているが、ＬＥＤやＥＬ等の発光素子アレイを用いた固体走査型の光書込みヘッドユニットを用いてもよい。
【００２３】
プリントエンジン２１０にはその他、感光体ドラム２２２の周囲に、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像をシートに転写する転写器（転写チャージャ等）２２５、余分なトナーを回収するクリーニング器２２６を備えている。
給紙部２１１から給送された用紙は、転写器２２５で画像が転写され、その後、定着ユニット２１７に送られ、画像がシートに定着される。
【００２４】
前記プリントエンジン２１０の排出側には、上記定着ユニット２１７の他に、シートの裏面に再度画像を形成するためにシートの前後を反転させる両面ユニット２２１、画像が形成されたシートに対してステープル処理等を行うとともに昇降トレイ２３１を有する後処理装置２３０を備えている。定着ユニット２１７にてトナー像が定着されたシートは、必要に応じて両面ユニット２２１を経て排紙ローラ２１９にて後処理装置２３０へと導かれ、ここで所定の後処理が施された後に排出される。
【００２５】
給紙部は、上記プリントエンジン２１０の下方に配設されており、本体に備えられた手差トレイ２１１ｄ，両面ユニット２２１，給紙トレイ２１１ｃと給紙部２１１に備えられた給紙トレイ２１１ａ、２１１ｂとで構成されている。また、これらのトレイ２１１ａ、２１１ｂ、２１１ｃから給紙された用紙をプリントエンジン２１０の転写器２２５が配置された転写位置へと搬送する給紙搬送路を備えている。両面ユニット２２１は、シートをスイッチバックして再給紙し、シートの両面に画像形成を行う時に用いられる。なお両面ユニット２２１は通常の用紙カセットと交換可能な構成となっており、両面ユニット２２１を通常の用紙カセットに置き換えた構成とすることも可能となっている。
【００２６】
図３は、図２の画像形成装置の機能的な構成の概略を示すブロック図である。図３で、画像形成装置１は、スキャナ部１１０、プリントエンジン２１０、画像処理部１１７の他に、操作表示部１４、システム制御部１６、通信Ｉ／Ｆ部１３を含む。また、画像処理部１１７は、画像メモリ１１８、印刷機能設定部１１、印刷機能処理部１２を含む。図３において、図２と対応するブロックには同じ符号を付している。
【００２７】
システム制御部１６は、画像処理装置１の全体の制御を行うブロックであり、そのハードウェアは、ＣＰＵ、ＣＰＵが実行するプログラムを格納するＲＯＭ、作業用の記憶領域を提供するＲＡＭおよび入出力回路等から構成される。操作表示部１４は、画像処理装置１の状態を操作者に表示し、あるいは操作者が画像処理装置１に対して指示を与えるためのブロックであり、そのハードウェアは、液晶表示装置、キー、ＬＥＤなどで構成される。通信Ｉ／Ｆ部は、画像形成装置１とネットワーク２０を介して接続されるホスト５０、５１とシステム制御部１６もしくは画像処理部１１７とが通信を行うためのインターフェースである。通信の内容は画像データ、ホスト５０もしくは５１側のプリンタドライバ等とやり取りする状態情報、制御情報などである。
【００２８】
画像処理部１１７は、画像データに関する処理を行うブロックであり、そのハードウェアはＣＰＵ、ＣＰＵが実行するプログラムを格納するＲＯＭ、画像データを格納したり作業用の記憶領域を提供したりするＲＡＭおよび入出力回路等から構成される。画像メモリ１１８は画像データを格納するためのメモリであり、ＤＲＡＭで構成される。印刷機能設定部１１は、操作表示部１４や、ホスト５０あるいは５１にインストールされたプリンタドライバを用いて操作者に編集や後処理の機能を選択させ、選択された内容を印刷機能として設定して格納するブロックであり、画像処理部１１７のＣＰＵがＲＯＭに格納されたプログラムを実行することにより実現される。印刷機能設定部の機能には、画像を複数に分割した分割画像をそれぞれ異なる用紙に印刷する第１の印刷機能を設定する前記第１機能設定部としての機能や、第１の印刷機能と異なる編集機能もしくは後処理機能である前記第２の印刷機能を設定する第２機能設定部としての機能が含まれる。印刷機能処理部１２は、設定された印刷機能に応じて画像データを処理するブロックであり、画像処理部１１７のＣＰＵがＲＯＭに格納されたプログラムを実行することにより実現される。フロック間を接続する線の太さが太い部分は、画像データがバスを流れる部分を示している。ただし、画像データだけでなく、制御データ等もやり取りが行われる。制御データのやり取りはバスを介してもよいが、バスとは別の通信線あるいは信号線によるやりとりであってもよい。
【００２９】
（実施の形態１）
図４は、前記第１印刷機能設定部が第１の印刷機能としてのポスター印刷機能を設定し、第２印刷機能設定部が第２の印刷機能としてパンチ機能を設定し、それらを組み合わせた印刷を実行する際に印刷機能処理部１２が行う処理の一例を示すフローチャートである。
画像形成装置がプリンタとして機能する場合、印刷機能の設定は、ホスト側で行われる。ホスト５０もしくは５１にインストールされたプリンタドライバは、ホストの操作者に対して印刷機能を設定するためのユーザーインターフェースを提供する。
【００３０】
図５は、ホスト５０もしくは５１で操作者に印刷機能を設定させるためのユーザーインターフェースの一例を示す説明図である。図５に示すユーザーインターフェースにおいて、操作者が「ポスター印刷」３０１のチェックボックスをクリックすると、ポスター印刷機能が選択された状態になる。チェックボックスにチェックが表示されているのは、選択された状態を示している。さらに、「パンチ」３０２のチェックボックスをクリックすると、パンチ機能が選択された状態になる。両方を選択した場合は、機能を組み合わせて印刷を行うように選択した状態になる。
【００３１】
図４に示すように、印刷機能処理部１２は、まずホスト５０あるいは５１のプリンタドライバで操作者によって設定された印刷機能の内容をネットワーク２０を介してプリンタドライバから取得し、設定された印刷機能の内容を格納する（ステップＳ１１）。
【００３２】
その後、操作者によって図５の「ＯＫ」ボタン３０４が押されて印刷開始の指示がなされると、プリンタドライバが印刷データを生成して、指定されたプリンタに生成した印刷データを送信する。画像処理部１１７は、印刷データを受信してプリンタエンジンが印刷可能な画像データに展開し、画像メモリ１１８に格納する。印刷機能処理部１２は、展開された画像データが画像メモリ１１８に格納されたときに、格納された画像データに対して前記ステップＳ１１で格納した印刷機能を取得する（ステップＳ１２）。設定された印刷機能が、ポスター印刷機能とパンチ機能の組み合わせであると判断すると、パンチ孔をあける位置を決定するために綴じ位置側の辺を構成する用紙枚数が奇数か、偶数かを判断する（ステップＳ１３）。
【００３３】
図１は、パンチ孔をあける位置を決定するために綴じ位置側の辺を構成する用紙枚数が奇数の場合の、印刷出力の例を示す説明図である。図１（ａ）は、出力された用紙を組み合わせて一つの画像を構成した状態を示しており、図１（ｂ）は、パンチ孔をあける綴じ位置側の辺を構成する各用紙の画像とのりしろの位置を示している。
【００３４】
図６は、パンチ孔をあける位置を決定するために綴じ位置側の辺を構成する用紙枚数が偶数の場合の、印刷出力の例を示す説明図である。図６（ａ）は、出力された用紙を組み合わせて一つの画像を構成した状態を示しており、図６（ｂ）は、パンチ孔をあける綴じ位置側の辺を構成する各用紙の画像とのりしろの位置を示している。
【００３５】
綴じ位置側の辺を構成する用紙枚数が奇数の場合について、用紙枚数をｎ、用紙の辺の長さをｄ１、のりしろの幅をｖ、用紙の辺の長さからのりしろの幅を引いた長さをｄ２とするとき、用紙を貼りあわせた状態での辺の全長Ｌは、
Ｌ    ＝ｄ１＋ｄ２×（ｎ−１）
ここで、ｄ１＝ｄ２＋ｖであるから、
Ｌ    ＝ｄ２×ｎ＋ｖ                            （１）
である。従って、辺の中点は、端から、
Ｌ／２＝ｄ２×ｎ／２＋ｖ／２                    （２）
の位置にある。
【００３６】
用紙を貼りあわせた状態で上側の辺の端から中央の用紙ののりしろのない側の端までの長さＬ１は、、
Ｌ１  ＝ｄ２×（ｎ−１）／２
＝ｄ２×ｎ／２−ｄ２／２                              （３）
の位置にある。したがって、中央の用紙ののりしろのない側の端から辺の中点までの距離Ｌ３は、
Ｌ３  ＝Ｌ／２−Ｌ１
＝ｖ／２＋ｄ２／２
＝｛ｖ＋ｄ２｝／２                        （４）
である。中央の用紙ののりしろのない側の端からＬ３の距離を基準とし、基準の位置から両側に、
パンチ孔間隔／２
だけ離れた２点をパンチ孔の中心とするように孔位置を決定する（ステップＳ１４）。
【００３７】
一方、綴じ位置側の辺を構成する用紙枚数が偶数の場合、辺の中央の２枚の用紙に一つずつ孔をあけることになる。用紙を貼りあわせた状態での辺の全長Ｌは、前式（１）と同じであり、従って辺の中点も前式（２）と同じである。
【００３８】
中央の貼り合せ部を挟む２枚の用紙のうち、中央にのりしろのない用紙の端の位置Ｌ４は、辺の上側の端から、
Ｌ４  ＝ｄ２×ｎ／２                                  （３）
の位置にある。したがって、中央貼り合わせ部を挟む２枚の用紙のうち、中央にのりしろのない用紙の端から辺の中点までの距離Ｌ５は、
Ｌ５  ＝Ｌ／２−Ｌ４
＝ｖ／２                                  （４）
である。中央の用紙ののりしろのない側の端から
Ｌ５＋パンチ孔間隔／２
＝｛ｖ＋パンチ孔間隔｝／２
だけ離れた点をパンチ孔の中心とするように孔位置を決定する。
また、中央貼り合わせ部を挟む２枚の用紙のうち、中央にのりしろのある用紙の端から、
ｖ＋パンチ孔間隔／２−Ｌ５
＝｛ｖ＋パンチ孔間隔｝／２
の位置をもう一つの孔位置として決定する（ステップＳ１５）。
【００３９】
図１および図６は、パンチ孔が画像領域内にあけられているが、印刷機能設定部は、画像をシフトさせて、パンチ孔が画像領域外になるように印刷機能を設定してもよい。図７は、パンチ機能と連動して画像をシフトさせた印刷出力の例を示す説明図である。図７（ａ）は、パンチ孔をあける際に画像をシフトさせない印刷出力の例である。それに対して、図７（ｂ）は、パンチ機能と連動して画像をシフトさせた印刷出力の例である。図７（ｂ）に示すように、印刷機能処理部１２は、画像の分割とシフトを処理するに際して、出力された用紙を組み合わせて一つの画像を構成した状態を基準に処理を行う。
【００４０】
なお、この実施例では、パンチを左側にあける場合について説明したが、パンチの位置は右側、上側、下側であってもよい。これらの場合にこの発明を適用することは当業者にとって容易である。
（実施の形態２）
【００４１】
図８は、ホスト５０もしくは５１で操作者に印刷機能を設定させるためのユーザーインターフェースの異なる一例を示す説明図である。図５に対応する部分には同じ符号を付している。図８に示すユーザーインターフェースでは、パンチの孔数とピッチの組合せを「孔数／ピッチ」の欄で選択できるようになっている。図８に示すように、この実施の形態では、パンチの孔数が４、ピッチが８０ｍｍに設定されている。
図９は、前記第１印刷機能設定部が第１の印刷機能としてのポスター印刷機能を設定し、第２印刷機能設定部が第２の印刷機能としてパンチ機能を設定し、それらを組み合わせた印刷を実行する際に印刷機能処理部１２が行う処理の一例を示すフローチャートである。
【００４２】
図４に示すように、印刷機能処理部１２は、まずホスト５０あるいは５１のプリンタドライバで操作者によって設定された印刷機能の内容をネットワーク２０を介してプリンタドライバから取得し、設定された印刷機能の内容を格納する（ステップＳ２１）。
【００４３】
その後、操作者によって図８の「ＯＫ」ボタン３０４が押されて印刷開始の指示がなされると、プリンタドライバが印刷データを生成して、指定されたプリンタに生成した印刷データを送信する。画像処理部１１７は、印刷データを受信してプリンタエンジンが印刷可能な画像データに展開し、画像メモリ１１８に格納する。印刷機能処理部１２は、展開された画像データが画像メモリ１１８に格納されたときに、格納された画像データに対して前記ステップＳ１１で格納した印刷機能を取得する（ステップＳ２２）。設定された印刷機能が、ポスター印刷機能とパンチ機能の組み合わせであると判断すると、パンチ孔をあける位置を決定するために綴じ位置側の辺を構成する用紙枚数が奇数か、偶数かを判断する（ステップＳ２３）。
【００４４】
図１０は、パンチ孔をあける位置を決定するために綴じ位置側の辺を構成する用紙枚数が奇数の場合の、印刷出力の例を示す説明図である。図１０（ａ）は、出力された用紙を組み合わせて一つの画像を構成した状態を示しており、図１０（ｂ）は、パンチ孔をあける綴じ位置側の辺を構成する各用紙の画像とのりしろの位置を示している。
【００４５】
図１１は、パンチ孔をあける位置を決定するために綴じ位置側の辺を構成する用紙枚数が偶数の場合の、印刷出力の例を示す説明図である。図１１（ａ）は、出力された用紙を組み合わせて一つの画像を構成した状態を示しており、図１１（ｂ）は、パンチ孔をあける綴じ位置側の辺を構成する各用紙の画像とのりしろの位置を示している。
【００４６】
綴じ位置側の辺を構成する用紙枚数が奇数の場合について、用紙枚数をｎ、用紙の辺の長さをｄ１、のりしろの幅をｖ、用紙の辺の長さからのりしろの幅を引いた長さをｄ２とするとき、用紙を貼りあわせた状態での辺の全長Ｌは、
Ｌ    ＝ｄ１＋ｄ２×（ｎ−１）
ここで、ｄ１＝ｄ２＋ｖであるから、
Ｌ    ＝ｄ２×ｎ＋ｖ                            （５）
である。従って、辺の中点は、端から、
Ｌ／２＝ｄ２×ｎ／２＋ｖ／２                    （６）
の位置にある。
【００４７】
用紙を貼りあわせた状態で上側の辺の端から中央の用紙ののりしろのない側の端までの長さＬ１は、
Ｌ１  ＝ｄ２×（ｎ−１）／２
＝ｄ２×ｎ／２−ｄ２／２                              （７）
の位置にある。したがって、中央の用紙ののりしろのない側の端から辺の中点までの距離Ｌ３は、
Ｌ３  ＝Ｌ／２−Ｌ１
＝ｖ／２＋ｄ２／２
＝｛ｖ＋ｄ２｝／２                                    （８）
である。
パンチ穴数が４点の場合、辺の中点からＹｉ
（但し、パンチ穴数が４点の場合、Ｙ１＝１×パンチ孔間隔／２、
Ｙ２＝３×パンチ孔間隔／２）
だけ離れた４点をパンチ孔の中心とするように孔位置を決定する（ステップＳ２４）。
【００４８】
ここで、０＜Ｌ３―Ｙ＜ｖの場合、中央の用紙の中点からＬ３-Ｙだけ離れた位置は、隣の用紙ののりしろ部分になる。このため、中央の用紙と隣（中央の用紙からのりしろのない側）の用紙にそれぞれ孔をあける必要がある。各孔位置は、両方の用紙を貼り合せると同一になるような位置である。
第１の孔は、中央の用紙の中点から
Ｌ３−Ｙ
の位置である。
第２の孔は、中央の用紙ののりしろのない側の隣の用紙の、中央の用紙側の端から
Ｌ３−Ｙ
の位置である。
また、ｄ２＜Ｌ３＋Ｙ＜ｄ２＋ｖの場合、中央の用紙の中点からＬ３＋Ｙだけ離れた位置は、中央の用紙ののりしろ部分になる。このため、中央の用紙と隣（中央の用紙からのりしろのある側）の用紙にそれぞれ孔をあける必要がある。各孔位置は、両方の用紙を貼り合わせると同一になるような位置である。
第１の孔は、中央の用紙は中点から
Ｌ３＋Ｙ
の位置である。
第２の孔は、中央の用紙ののりしろのある側の隣の用紙の、中央の用紙側の端から
Ｌ３+Ｙ-ｄ２
の位置である。
【００４９】
一方、綴じ位置側の辺を構成する用紙枚数が偶数の場合、辺の中央の２枚の用紙に一つずつ孔をあけることになる。用紙を貼りあわせた状態での辺の全長Ｌは、前式（１）と同じであり、従って辺の中点も前式（２）と同じである。
【００５０】
中央の貼り合せ部を挟む２枚の用紙のうち、中央にのりしろのない用紙の端の位置Ｌ４は、辺の上側の端から、
Ｌ４  ＝ｄ２×ｎ／２                                  （９）
の位置にある。したがって、中央貼り合わせ部を挟む２枚の用紙のうち、中央にのりしろのない用紙の端から辺の中点までの距離Ｌ５は、
Ｌ５  ＝Ｌ／２−Ｌ４
＝ｖ／２                                  （４）
である。中央の用紙ののりしろのない側の端から
Ｌ５＋Ｙi＝ｖ／２＋Ｙi
（但し、パンチ穴数が４点の場合、Ｙ１＝１×パンチ孔間隔／２、
Ｙ２＝３×パンチ孔間隔／２）
だけ離れた点をパンチ孔の中心とするように孔位置を決定する。
また、中央貼り合わせ部を挟む２枚の用紙のうち、中央にのりしろのある用紙の端から、
ｖ−Ｌ５+Ｙi=ｖ／２＋Ｙi
の位置をもう一つの孔位置として決定する（ステップＳ２５）。
【００５１】
ここで、ｄ２＜ｖ／２＋Ｙ＜ｄ２＋ｖの場合、中央貼り合わせ部を挟む２枚の用紙のうち、中央にのりしろのない用紙の端からＬ５＋Ｙだけ離れた位置は、当該用紙ののりしろ部分になる。このため、当該用紙と、中央でない側の隣の用紙にそれぞれ孔をあける必要がある。各孔位置は、両方の用紙を貼り合わせると同一になるような位置でなければならない。
第１の孔は、中央貼り合わせ部を挟む２枚の用紙のうち、中央にのりしろのない用紙の端から、
ｖ／２＋Ｙ
の位置である。
第２の孔は、中央貼り合わせ部を挟む２枚の用紙のうち、中央にのりしろのない用紙の隣の用紙の、のりしろのない側の端から
ｖ／２＋Ｙ−ｄ２
の位置である。
【００５２】
また、ｄ２＜ｖ／２＋Ｙ＜ｄ２＋ｖの場合、中央貼り合わせ部を挟む２枚の用紙のうち、中央にのりしろのある用紙の端からｖ／２＋Ｙだけ離れた位置は、当該用紙の隣（中央側でない方）の用紙ののりしろ部分になる。このため、当該用紙と、中央でない側の隣の用紙にそれぞれ孔をあける必要がある。各孔位置は、両方の用紙を貼り合わせると同一になるような位置である。
第１の孔は、中央貼り合わせ部を挟む２枚の用紙のうち、中央にのりしろのない用紙の端から
ｖ／２＋Ｙ
の位置である。
第２の孔は、中央貼り合わせ部を挟む２枚の用紙のうち、中央にのりしろのある用紙の隣の用紙のうち、のりしろのある側の端から
ｖ／２＋Ｙ−ｄ２
の位置である。
【図面の簡単な説明】
【００５３】
【図１】この発明の実施形態において、パンチ孔をあける位置を決定するために綴じ位置側の辺を構成する用紙枚数が奇数の場合の、印刷出力の例を示す説明図である。
【図２】この発明に係る画像形成装置の機械的な概略構成の一例を示す説明図である。
【図３】図２の画像形成装置の機能的な構成の概略を示すブロック図である。
【図４】第１印刷機能設定部が第１の印刷機能としてのポスター印刷機能を設定し、第２印刷機能設定部が第２の印刷機能としてパンチ機能を設定し、それらを組み合わせた印刷を実行する際に印刷機能処理部が行う処理の一例を示すフローチャートである。（実施の形態１）
【図５】ホストで操作者に印刷機能を設定させるためのユーザーインターフェースの一例を示す説明図である。（実施の形態１）
【図６】この発明の実施形態において、パンチ孔をあける位置を決定するために綴じ位置側の辺を構成する用紙枚数が偶数の場合の、印刷出力の例を示す説明図である。（実施の形態１）
【図７】パンチ機能と連動して画像をシフトさせた印刷出力の例を示す説明図である。（実施の形態１）
【図８】ホスト５０もしくは５１で操作者に印刷機能を設定させるためのユーザーインターフェースの異なる一例を示す説明図である。（実施の形態２）
【図９】前記第１印刷機能設定部が第１の印刷機能としてのポスター印刷機能を設定し、第２印刷機能設定部が第２の印刷機能としてパンチ機能を設定し、それらを組み合わせた印刷を実行する際に印刷機能処理部１２が行う処理の一例を示すフローチャートである。（実施の形態２）
【図１０】パンチ孔をあける位置を決定するために綴じ位置側の辺を構成する用紙枚数が奇数の場合の、印刷出力の例を示す説明図である。（実施の形態２）
【図１１】パンチ孔をあける位置を決定するために綴じ位置側の辺を構成する用紙枚数が偶数の場合の、印刷出力の例を示す説明図である。（実施の形態２）
【符号の説明】
【００５４】
１    画像形成装置
１１    印刷機能設定部
１２    印刷機能処理部
１３    通信Ｉ／Ｆ部
１４    操作表示部
１６    システム制御部
２０    ネットワーク
５０、５１    ホスト
１００    原稿搬送装置
１０８    原稿給紙トレイ
１０９    原稿排紙トレイ
１１０    スキャナ部、画像読取部
１１１    原稿台、プラテンガラス
１１３    光源ユニット
１１４    ミラーユニット
１１５    結像レンズ
１１６    ＣＣＤセンサ
１１７    画像処理部
１１８    画像メモリ
２１０    プリントエンジン、画像形成部
２１１    給紙部
２１１ａ、２１１ｂ、２１１ｃ  給紙トレイ
２１１ｄ  手差しトレイ
２１２    給紙搬送路
２１７    定着ユニット
２１９    排紙ローラ
２２１    両面ユニット
２２２    感光体ドラム
２２３    帯電器
２２４    現像器
２２５    転写器、転写チャージャ
２２６    クリーニング器
２２７    レーザ書込みユニット
２３０    後処理装置
２３１    昇降トレイ
【図１】
2006248086.tif 000003
【図２】
2006248086.tif 000004
【図３】
2006248086.tif 000005
【図４】
2006248086.tif 000006
【図５】
2006248086.tif 000007
【図６】
2006248086.tif 000008
【図７】
2006248086.tif 000009
【図８】
2006248086.tif 000010
【図９】
2006248086.tif 000011
【図１０】
2006248086.tif 000012
【図１１】
2006248086.tif 000013